(57)【特許請求の範囲】
【請求項１】
エレベータの乗場の出入口を開閉する乗場ドアパネルと、
前記乗場ドアパネルに対向して前記エレベータの乗りかごの出入口を開閉するように設けられた乗りかごドアパネルと、
前記エレベータの昇降路側に突出するように前記乗場ドアパネルのいずれかに設けられた第１の係合子と、
この第１の係合子が設けられた乗場ドアパネルに対向する乗りかごドアパネルに、昇降方向に対して互いに平行となるように設けられた第１の係合刃および第２の係合刃と、
前記第１の係合刃および前記第２の係合刃が設けられた乗りかごドアパネルに支持されて前記第１の係合刃と前記第２の係合刃とを互いに連結する、実質的に平行な一対のリンク部材と、
前記第１の係合刃および前記第２の係合刃のいずれかに固定されて前記係合刃の昇降方向の変位を案内する係合刃ローラと、
前記乗りかごドアパネル側に設けられ、前記乗りかごドアパネルの開閉に伴って前記係合刃ローラに係合して前記係合刃の昇降方向の位置を規定する係合刃ローラガイド部材と、
前記乗りかごドアパネルの上部パネルに固定され、前記係合刃ローラガイド部材を弾性的に支持し、前記係合子と前記係合刃との係合に伴って前記係合刃ローラに加わる荷重を吸収する荷重緩衝機構と、
前記乗りかごが前記エレベータ乗場に着床し停止したときに、前記乗りかごドアパネルと前記乗場ドアパネルを連動して開閉させる駆動機構と、
を備え、
前記係合刃ローラガイド部材は、その上面を前記係合刃ローラが転動するほぼ水平な転動面を備えた板状部材であり、前記係合刃ローラ側の端部は前記水平な転動面よりも斜め下方に延長されており、
前記荷重緩衝機構は、前記乗りかごドアパネルの上部パネルの上面に形成されたほぼ水平な支持面上に前記係合刃ローラガイド部材をコイルばねを介して支持することを特徴とするエレベータのドア装置。
【請求項２】
前記エレベータのドア装置は、
前記第１の係合子が設けられた前記乗場ドアパネルに、前記第１の係合子を回動自在に取り付ける第１の取付け部材と、
前記乗場ドアパネルと前記第１の係合子の中間部で前記第１の取付け部材によって揺動自在に軸支され、一端に掛止部を有する掛止部材と、
この掛止部材に前記昇降路側に突出するように取り付けられた第２の取付け部材と、
この第２の取付け部材に回動自在に取り付けられた第２の係合子と、
前記乗場ドアパネルより上方にある乗場上部パネルに設けられ、前記乗りかごが前記エレベータ乗場に停止していないときに前記掛止部材の前記掛止部が掛止し、前記乗場ドアパネルを閉じた状態に保つ被掛止部と、を更に備え、
前記第１の係合子および前記第２の係合子は、ローラであり、
前記第２の係合子は、前記乗りかごが前記エレベータ乗場に停止したときに前記第１の係合刃および前記第２の係合刃の側板部の間隙が狭まり、前記第１の係合刃または前記第２の係合刃の側板部によって押されることによって前記第１の係合子に対して相対的に変位することにより前記掛止部材を揺動させ、前記掛止部材の前記掛止部と前記被掛止部との掛止状態を解除し、
前記荷重緩衝機構は、前記乗りかごドアパネルが開いた状態において、前記係合刃ローラが前記係合刃ローラガイド部材の傾斜端部からほぼ水平な転動面上に案内され、前記係合刃ローラガイド部材を介して前記コイルばねを昇降方向下方に所定量だけ圧縮することを特徴とする請求項１に記載のエレベータのドア装置。
【請求項３】
前記係合刃ローラガイド部材は前記荷重緩衝機構の水平支持面に、前記コイルばねを介してボルトで固定されていることを特徴とする請求項２に記載のエレベータのドア装置。
【発明の詳細な説明】
【技術分野】
【０００１】
本発明は、エレベータのドア装置に関し、特に、乗りかごの着床時に乗りかごドアと乗場ドアとを係合させて、乗りかごドアの開閉駆動力を乗場ドアに伝達させるための係合装置を備えるエレベータのドア装置に関する。
【背景技術】
【０００２】
建物のエレベータ乗場には、エレベータの乗りかごに乗降するための出入口が設けられており、この出入口には引き戸式の乗場ドアが設置されている。乗場ドアは、通常時は閉じられており、昇降路を昇降する乗りかごがエレベータ乗場に着床して停止した際、乗りかごのドアからの駆動力を受けて開閉する。また乗場ドアには、乗りかごドアが閉じたときには乗場ドアを施錠し、乗りかごドアが開き始めるときに乗場ドアを開錠するロック機構が備えられている。
【０００３】
また乗りかごドアには、乗場ドアの係合子と係合する係合部が設けられている。この係合部と上述した乗場ドアの係合子とにより、エレベータのドア装置の係合装置が構成される。乗りかごが乗場階に着床し停止したときに、乗りかごドアの係合部と乗場ドアの係合子とが係合し、乗りかごドアの駆動力を乗場ドアに伝達する。係合部は、ロック機構を作動させる機能を併せ持つ場合もある。ちなみに乗りかごドアに設けられた係合部は、平行な一対のリンク部材により支持されて、平行を保ったままその間隔幅を変化させるように開閉する垂直方向に延びる一対の係合刃を備えている。
【０００４】
一方、エレベータ据付時には、乗りかごドアが閉じた状態での係合刃間の寸法、その時の係合刃と係合子との間隔、乗りかごドアが開いた時の係合刃間の寸法がそれぞれ所定の値になるように調整される。係合装置が適切に組み立てられていない場合、例えば、乗りかごドアが開いた時の係合刃間の寸法が、乗場ドアの係合子の直径よりも狭く調整されている場合には、一対の係合刃の間隔を変化させる機構に含まれる係合刃ローラに、係合刃を閉じきろうとする強い力が加えられる。この力によって係合刃や係合子等、係合装置に含まれる部材に歪みが発生する。このような係合装置に作用する過大な力によって、リンク部材と係合刃の連結部に用いられる軸受けに曲げモーメントが作用し、軸受けが損傷する場合がある。このような事態が発生すると、ドアの円滑な開閉動作に支障をきたす。
【０００５】
特許文献１には、このような問題点を解決するためのエレベータのドア装置が開示されている。この装置の乗場ドアには、乗りかごドアの駆動力を乗場ドアに伝達するローラ状の第１の係合子と、ローラ状の第１の係合子に対して相対的に変位するロック機構を作動させるローラ状の第２の係合子が設けられている。乗りかごドアには、軸受けが配設された平行リンク部材を介して互いに接離する開閉方向に平行移動する第１および第２の係合刃を有し、一対の係合刃が互いに接近して閉じ合うことによりその両係合刃間で２つの係合子を挟みつけて第２の係合子をロック機構が解除される位置に保持し、また挟みつけを解除してロック機構を作動させる係合機構が設けられている。
【０００６】
この装置は、更に係合刃とリンク部材間またはリンク部材と乗りかごドア間に介装された支え部材を備え、この支え部材によって、平行リンク部材の連結部に介装されている軸受けに対して、曲げモーメントが作用しないようにしている。しかし特許文献１に開示されたドア装置の構成は複雑であり、摺動する支え部材が多く用いられるため耐久性が懸念される。
【先行技術文献】
【特許文献】
【０００７】
【特許文献１】特開２０１０−１３７９５８号公報
【発明の概要】
【発明が解決しようとする課題】
【０００８】
本発明は、上記の背景に鑑みてなされたもので、簡単な構成で、係合装置が適切に組み立てられていない場合においてもドアに用いられる部材に損傷を与えることなく、円滑なドア開閉動作を可能とするエレベータのドア装置を提供することを目的とする。
【課題を解決するための手段】
【０００９】
本発明の１実施形態に係るエレベータのドア装置は、エレベータの乗場の出入口を開閉する乗場ドアパネルと、
前記乗場ドアパネルに対向して前記エレベータの乗りかごの出入口を開閉するように設けられた乗りかごドアパネルと、
前記エレベータの昇降路側に突出するように前記乗場ドアパネルのいずれかに設けられた第１の係合子と、
この第１の係合子が設けられた乗場ドアパネルに対向する乗りかごドアパネルに、昇降方向に対して互いに平行となるように設けられた第１の係合刃および第２の係合刃と、
前記第１の係合刃および前記第２の係合刃が設けられた乗りかごドアパネルに支持されて前記第１の係合刃と前記第２の係合刃とを互いに連結する、実質的に平行な一対のリンク部材と、
前記第１の係合刃および前記第２の係合刃のいずれかに固定されて前記係合刃の昇降方向の変位を案内する係合刃ローラと、
前記乗りかごドアパネル側に設けられ、前記乗りかごドアパネルの開閉に伴って前記係合刃ローラに係合して前記係合刃の昇降方向の位置を規定する係合刃ローラガイド部材と、
前記乗りかごドアパネルの上部パネルに固定され、前記係合刃ローラガイド部材を弾性的に支持し、前記係合子と前記係合刃との係合に伴って前記係合刃ローラに加わる荷重を吸収する荷重緩衝機構と、
前記乗りかごが前記エレベータ乗場に着床し停止したときに、前記乗りかごドアパネルと前記乗場ドアパネルを連動して開閉させる駆動機構と、
を備え、
前記係合刃ローラガイド部材は、その上面を前記係合刃ローラが転動するほぼ水平な転動面を備えた板状部材であり、前記係合刃ローラ側の端部は前記水平な転動面よりも斜め下方に延長されており、
前記荷重緩衝機構は、前記乗りかごドアパネルの上部パネルの上面に形成されたほぼ水平な支持面上に前記係合刃ローラガイド部材をコイルばねを介して支持することを特徴とする。
【００１１】
また、前記本発明のエレベータのドア装置においては、  前記エレベータのドア装置は、
前記第１の係合子が設けられた前記乗場ドアパネルに、前記第１の係合子を回動自在に取り付ける第１の取付け部材と、
前記乗場ドアパネルと前記第１の係合子の中間部で前記第１の取付け部材によって揺動自在に軸支され、一端に掛止部を有する掛止部材と、
この掛止部材に前記昇降路側に突出するように取り付けられた第２の取付け部材と、
この第２の取付け部材に回動自在に取り付けられた第２の係合子と、
前記乗場ドアパネルより上方にある乗場上部パネルに設けられ、前記乗りかごが前記エレベータ乗場に停止していないときに前記掛止部材の前記掛止部が掛止し、前記乗場ドアパネルを閉じた状態に保つ被掛止部と、を更に備え、
前記第１の係合子および前記第２の係合子は、ローラであり、
前記第２の係合子は、前記乗りかごが前記エレベータ乗場に停止したときに前記第１の係合刃および前記第２の係合刃の側板部の間隙が狭まり、前記第１の係合刃または前記第２の係合刃の側板部によって押されることによって前記第１の係合子に対して相対的に変位することにより前記掛止部材を揺動させ、前記掛止部材の前記掛止部と前記被掛止部との掛止状態を解除し、
前記荷重緩衝機構は、前記乗りかごドアパネルが開いた状態において、前記係合刃ローラが前記係合刃ローラガイド部材の傾斜端部からほぼ水平な転動面上に案内され、前記係合刃ローラガイド部材を介して前記コイルばねを昇降方向下方に所定量だけ圧縮することを特徴とする。
【図面の簡単な説明】
【００１２】
【図１】乗場ドアロック機構に含まれる部材を用いた係合装置を有するドア装置の実施形態が適用される乗りかごドアの一例を昇降路の外の乗場側から見た図である。
【図２】図１に示した乗りかごドアの一例の乗りかごドア側係合部を含む部分の拡大図である。
【図３】乗りかごドアに設けられる荷重緩衝機構を説明するための部分拡大図である。
【図４】図１に示した乗りかごドアの一例に対応する乗場ドアの一例を昇降路側から見た図である。
【図５】乗場ドアに設けられるロック機構の一例を説明するための図である。
【図６】本発明の実施形態において乗場ドア装置に乗りかごドア側係合部が係合した状態を表す図である。
【図７】本発明の実施形態における乗場ドアに設けられるロック機構の動作の一例を説明するための図である。
【図８】係合刃ローラの昇降方向の変位量と係合刃の間隙の関係を示す図である。
【図９】乗場ドアの開閉動作を説明するための図である。
【図１０】乗場ドアロック機構に含まれる部材を用いない係合装置を有するドア装置の実施形態が適用される乗場ドアの一例を昇降路側から見た図である。
【図１１】図９に示した乗場ドアの一例の係合子を含む部分の拡大図である。
【発明を実施するための形態】
【００１３】
以下、図面を参照しながら本発明の一実施形態を説明する。尚、それぞれの図において、同一の部分または対応する部分には同一の参照符号を付すとともに、重複した説明は省略する。
【００１４】
先ず、エレベータの着床階の乗場ドアに設けられ、乗りかごが着床階に停止していない場合に乗場ドアを閉じた状態に保つ乗場ドアロック機構を備えた、エレベータドアの構成と動作の概要について図１ないし図８を参照しながら説明を行う。
【００１５】
図１は、乗りかごドアを乗場側から見た図である。図１には、いわゆる横開きの２枚戸両開き方式の乗りかごドアパネル１０２および１０４を示している。
【００１６】
乗りかごドアパネル１０２および１０４は、乗りかごが着床階に停止すると、乗りかごドアベルト１０６を介して、乗りかごに設けられた乗りかごドアモータ１０８の動力によって逆向きに連動して開く。乗りかごドアパネル１０２には、乗りかごドアパネル１０２の開閉運動を着床階に設けられた乗場ドアに伝える乗りかごドア側係合部１１０が設けられている。
【００１７】
図２（ａ）は、図１に示した乗りかごドアの一部を示す部分拡大図である。乗りか
ごドア側係合部１１０は、一対のリンク部材２０２および２０４を含む。リンク部材２０２および２０４は、乗りかごドアパネル１０２に固定されたプレート２０６に対して、その中央部分が、それぞれリンク部取り付け部材２０８および２１０によって揺動自在に取り付けられている。リンク部取り付け部材２０８および２１０は、これらの中心が昇降方向の直線上にあるように配置されている。
【００１８】
２つのリンク部材２０２および２０４は、それぞれ、乗りかごドアパネル１０２の開方向側、すなわち戸袋側の連結部２１２ａおよび２１２ｂで、昇降方向に延びる戸袋側係合刃（第１の係合刃）２１６に連結され、また乗りかごドアパネル１０２の閉方向側、すなわち戸当たり側の連結部２１４ａおよび２１４ｂで、それぞれ昇降方向に延びる戸当たり側係合刃（第２の係合刃）２１８に連結されている。リンク部材の連結部２１２ａ、２１２ｂ、２１４ａ、２１４ｂには軸受け（図示せず）が設けられ、リンク部材２０２、２０４および第１の係合刃２１６、第２の係合刃２１８を含む乗りかご側係合装置を円滑に動作させる。第１の係合刃２１６および第２の係合刃２１８は、乗場側に突出し、乗りかごの昇降方向に平行に配設される。
【００１９】
また２つのリンク部材２０２および２０４は、図２（ａ）に示すように乗りかごドアパネル１０２に平行な平面にあって、第１の係合刃２１６および第２の係合刃２１８に対して斜めに配設される。図２（ａ）に示した形態においては、リンク部材２０２および２０４の図において右の端部が、左の端部より下側にある。リンク部材の連結部２１２ａ、２１２ｂ、２１４ｂおよび２１４ａの４点を結ぶと、平行四辺形となる。
【００２０】
第１の係合刃２１６および第２の係合刃２１８と、リンク部材２０２および２０４は、上述したように連結されているため、図２（ａ）に示した形態において、第１の係合刃２１６を押し上げる力が加わると、連結部２１２ａ、２１２ｂが上方に移動し、リンク部材２０２および２０４を介して、連結部２１４ａ、２１４ｂが下方に移動するため、第２の係合刃２１８は下方に移動する。この場合、第１の係合刃２１６、第２の係合刃２１８、リンク部材２０２、２０４が上述したように連結されているため、第１の係合刃２１６と第２の係合刃２１８の乗りかごドアパネル１０２の開閉方向の間隔が変化する。
【００２１】
前述したように、乗りかごドアパネル１０２は、乗りかごドアベルト１０６を介して、乗りかごに設けられた乗りかごドアモータ１０８の動力によって開閉する。乗りかごドアパネル１０２の上方に設けられた乗りかごドアの上部パネル２２０には乗りかごドアの開閉方向に平行にハンガーレール２２２が固定されている。乗りかごドアパネル１０２の上方には乗りかごドア吊り部材２２４ａ、２２４ｂが固定されており、これら乗りかごドア吊り部材２２４ａ、２２４ｂには、それぞれ乗りかごドアローラ２２６ａ、２２６ｂが設けられている。乗りかごドアローラ２２６ａ、２２６ｂはハンガーレール２２２上を転動する。
【００２２】
すなわち、乗りかごドアパネル１０２は、乗りかごドアローラ２２６ａ、２２６ｂおよび乗りかごドア吊り部材２２４ａ、２２４ｂを介して、ハンガーレール２２２に吊り下げられた状態で開閉する。乗りかごドアパネル１０４も、対応する乗りかごドアローラおよび乗りかごドア吊り部材を介して、同様にハンガーレール２２２に吊り下げられた状態で乗りかごドアパネル１０２に連動して開閉する。
【００２３】
第１の係合刃２１６の上部には、戸袋側に延在して腕木状の連係部材（ブラケット）２２８が固定されている。また乗りかごドアの上部パネル２２０には、乗りかごドアパネル１０２の開閉方向に、ほぼ平行に係合刃ローラガイド部材２３０が設けられている。連係部材２２８に支持された係合刃ローラ２３２は、そのローラ周面が係合刃ローラガイド部材２３０に接し、係合刃ローラガイド部材２３０に乗り上げて転動するように設けられている。したがって、係合刃ローラ２３２の昇降方向の位置は、係合刃ローラガイド部材２３０によって規定される。
【００２４】
図２（ｂ）は、乗りかごドア側係合部１１０を上方から見たときの模式図である。第１の係合刃２１６と第２の係合刃２１８の対向する面２１６ａ、２１８ａは、例えば、乗りかごドアパネル１０２に垂直であり、また、第１の係合刃２１６と第２の係合刃２１８は昇降方向（図２（ｂ）に垂直な方向）に平行な部分を含む。従って、第１の係合刃２１６と第２の係合刃２１８は断面がＬ字状の金属板により形成されている。以下の説明においては第１の係合刃２１６のうち面２１６ａを含む垂直部分、および第２の係合刃２１８のうち２１８ａを含む垂直部分を、それぞれ側板部２１７および側板部２１９と呼ぶ。
【００２５】
図３は、係合刃ローラガイド部材２３０を拡大して示す図である。係合刃ローラガイド部材２３０は、係合刃ローラ２３２の転動面を形成する板状体からなり、その端部２３０ａは前述したように下向きに曲げられている。係合刃ローラガイド部材２３０はバネによって構成される荷重緩衝機構２３４を介して、乗りかごドアの上部パネル２２０に弾性的に支持されている。荷重緩衝機構２３４は、たとえば係合刃ローラガイド部材２３０における係合刃ローラ２３２の転動路の側部に穿たれた貫通孔を挿通して乗りかごドアの上部パネル２２０に固定される案内軸、例えばボルト２３４ａと、このボルト２３４ａに遊嵌して係合刃ローラガイド部材２３０と上部パネル２２０との間に位置付けられる弾性体としてのコイルばね２３４ｂとからなる。このようなボルト２３４ａとコイルばね２３４ｂとからなる荷重緩衝機構２３４は、係合刃ローラガイド部材２３０の延在方向に沿って複数設けられる。荷重緩衝機構２３４は、コイルバネ２３４ｂの変わりに、昇降路方向に伸縮する、空気バネ等の流体バネまたは適切な弾性を有する合成樹脂もしくはゴム等の弾性体を含む。弾性体は、乗りかごドアパネルが完全に閉じた状態において、自然長よりも昇降方向に所定量だけ圧縮されている。
【００２６】
図４は、図１に示した乗りかごドアに対応する乗場ドアの一例を昇降路側から見た図である。ここで、乗場ドアパネルの数は、乗りかごドアパネルの数と同一である。図３に示すそれぞれの乗場ドアパネル３０２および３０４は、乗りかごが乗場階に着床したときには、それぞれ図１に示した乗りかごドアパネル１０２および１０４に対向する。乗場ドアパネル３０２および３０４は、それぞれ、図１に示した乗りかごドアパネル１０２および１０４に連動して開閉するが、通常のエレベータシステムにおいては、着床階に乗りかごが停止していないときに、誤作動によって乗場ドアパネル３０２および３０４が開くと危険なため、乗場側には乗場ドアパネル３０２および３０４を開閉させるための動力装置は備えられていない。さらに、乗場ドアパネル３０２および３０４には、着床階に乗りかごが停止していないときに、乗場ドアパネル３０２および３０４が開くことを防止するロック機構３０６が備えられている。
【００２７】
このロック機構３０６は、乗場ドア側係合部を含む。乗場ドア側係合部は、図１、図２に示した乗りかごドア側係合部１１０が設けられた乗りかごドアパネル１０２に対向する乗場ドアパネル３０２に設けられる。乗りかごが着床階に到着し所定の位置に停止すると、乗場ドアパネル３０２に設けられた乗場ドア側係合部と、乗りかごドアパネル１０２に設けられた乗りかごドア側係合部１１０とが係合し、乗場ドアは乗りかごドアによって開閉する。図４に示すように乗場のドアの上方に設けられた乗場ドアの上部パネル３０８には、後述するように、乗場ドアパネル３０４を乗場ドアパネル３０２に連動して開閉させるロック機構３０６等が取り付けられている。
【００２８】
図５を参照しながら、乗場ドアに設けられるロック機構３０６についてさらに説明する。乗場ドアパネル３０２の昇降路側には、その先端部に爪状の掛止部４０４が形成された掛止部材（第１のインターロック部材）４０２が揺動自在に取り付けられている。乗場ドアパネル３０４の上方にある乗場上部パネル３０８の昇降路側には、凹状の被掛止部が形成された被掛止部材（第２のインターロック部材）４０６が固定されている。図５は、掛止部材４０２と被掛止部材４０６が掛止した状態を示している。すなわち、図５において、乗場ドアパネル３０２と３０４は、掛止部材４０２と被掛止部材４０６によって、施錠され、閉じた状態が保持されている。
【００２９】
掛止部材４０２と被掛止部材４０６は、掛止した状態において、乗場ドアパネル３０２と３０４の少なくとも一方に開方向の力が加えられても、乗場ドアパネル３０２と３０４が開かないような形状、強度で形成されている。図に示した乗場ドアの施錠状態は、その乗場ドアが設置された着床階に乗りかごが到着し、所定の位置に停止し、乗りかごドアが開き始めるまで維持され、安全性が確保される。
【００３０】
また、掛止部材４０２は、昇降路側に突出するように取り付けられた第１の取付け軸４０８によって軸支されている。第１の取付け軸４０８はベースプレート４１０に取り付けられ、ベースプレート４１０は、例えば２本の取付けネジ４１２ａおよび４１２ｂによって乗場ドアの上方に設けられた乗場ドアの上部パネル３０８に固定されている。第１の取付け軸４０８の昇降路側の端部側には、軸受け（図示せず）を介して、第１のローラ４１４が回動自在に軸支されている。
【００３１】
また図に示すように掛止部材４０２には、インターロックされた状態において、第１の取付け軸４０８よりも若干乗場ドアパネル３０４側、すなわち戸当たり側に設けられた第２の取付け軸４１６が昇降路側に突き出すように設けられている。第２の取付け軸４１６の昇降路側の端部側には、軸受け（図示せず）を介して、第２のローラ４１８が回動自在に軸支されている。第１のローラ４１４の径と第２のローラ４１８の径は、通常、同一値に設計される。第１のローラ４１４および第２のローラ４１８は、ドアの係合装置においては、それぞれ第１の係合子および第２の係合子として機能する。
【００３２】
図６に乗場ドア装置に乗りかごドア側係合部１１０が係合した状態を示す。すなわち、乗場ドアパネル３０２、３０４が設けられた着床階に乗りかごが到着し、所定の位置に停止した状態における、乗場ドアパネル３０２に設けられたロック機構３０６と乗りかごドア側係合部１１０の係合状態を示す。
【００３３】
図６（ａ）は、係合状態を昇降路側から見た図である。尚、係合状態を明らかにするために、乗りかごドアの部材については、第１の係合刃２１６および第２の係合刃２１８等を含む乗りかごドア側係合部１１０以外は、図６（ａ）には示していない。乗場ドアパネル３０２、３０４が設けられた着床階に乗りかごが到着し、所定の位置に停止した状態においては、ロック機構３０６の第１のローラ４１４および第２のローラ４１８は、乗りかごドア側係合部１１０の第１の係合刃２１６および第２の係合刃２１８の間に位置する。このとき、ロック機構３０６の掛止部材４０２および被掛止部材４０６は掛止された状態にある。
【００３４】
図６（ｂ）は、図６（ａ）のＩ−Ｉ’に沿った断面を上側から見た概略断面図である。図６（ｂ）には、乗場ドアパネル３０２に対応する乗りかごドアパネル１０２を併せて示している。
【００３５】
次に、上述した実施形態で説明したエレベータのドア装置の動作を説明する。先ず、図７を参照して図６に示した実施形態におけるロック機構の動作を説明する。図７（ａ）は図６（ａ）に示したロック機構３０６を拡大した図であり、乗りかごドアの部材については、第１の係合刃２１６および第２の係合刃２１８等を含む乗りかごドア側係合部１１０以外は、図７には示していない。
【００３６】
乗りかごが昇降路内を上下方向に移動して所定の着床階に停止すると、前述したように、乗りかごドア側係合部１１０のロック機構３０６を構成する第１のローラ４１４および第２のローラ４１８は、乗りかごドア側係合部１１０の第１の係合刃２１６および第２の係合刃２１８の間に位置する。この状態においては、図７（ａ）に示すように、掛止部材の掛止部４０４は被掛止部材４０６の凹部に掛止しており、掛止部材４０２および被掛止部材４０６は掛止した状態にある。また、この状態においては第１の係合刃２１６と第２の係合刃２１８の乗りかごドアパネル１０２の開閉方向の間隙の値はＡ０である。
【００３７】
次に、乗りかごが着床階に停止すると、図１を用いて説明したように、乗りかごドアパネル１０２および１０４は、乗りかごドアベルト１０６を介して、乗りかごに設けられた乗りかごドアモータ１０８の動力によって逆向きに連動して開く。乗りかごドアパネル１０２には、乗りかごドアパネル１０２の開閉運動は乗りかごドア側係合部１１０を介して着床階に設けられた乗場ドアに伝えられる。図２を参照しながら説明したように、乗りかごドアパネル１０２が完全な閉状態から少し開方向に移動すると、第１の係合刃２１６が押し上げられ、第２の係合刃２１８が押し下げられる。
【００３８】
この状態においては、図７（ｂ）に示されるように、第１の係合刃２１６と第２の係合刃２１８の間隙はＡ１（Ａ１＜Ａ０）まで狭くなる。第１の係合刃２１６と第２の係合刃２１８の間隙が狭くなると、第２のローラ４１８が第２の係合刃２１８の側板部２１９によって図の右方（戸袋方向）に押され、掛止部材４０２は第１のローラ４１４の軸を中心として上方に揺動する。この結果、掛止部４０４は被掛止部材４０６との掛止状態が解かれる。すなわち、図７（ｂ）は、掛止部材４０２と被掛止部材４０６による施錠が解除された状態を示す。尚、乗りかごドアが開いたときの第１の係合刃２１６と第２の係合刃２１８の間隙Ａ１は、例えば、第１のローラ４１４および第２のローラ４１８の直径に略等しくなるように設計される。
【００３９】
この状態においては、図２および図３に示したように、係合刃ローラ２３２は第１の係合刃２１６とともに開閉方向に移動し、荷重緩衝機構２３４を介して乗りかごドアの上部パネル２２０に弾性的に支持された係合刃ローラガイド部材２３０の端部２３０ａに接触する。係合刃ローラ２３２は、傾斜配置された係合刃ローラガイド部材２３０の端部２３０ａに当接して案内される結果、係合刃ローラ２３２を介して第１の係合刃２１６の昇降方向の位置を変位させる。図７（ｂ）に示す状態においては、図７（ａ）に示す状態と比較して、係合刃ローラ２３２（図示せず）および第１の係合刃２１６は、昇降方向の上方に変位している。この係合刃ローラガイド部材２３０に、第１の係合刃２１６からの過大な荷重が係合刃ローラ２３２を介して加わると、この荷重を受けて荷重緩衝機構２３４のコイルばね２３４ｂが圧縮され、係合刃ローラガイド部材２３０が下降する。この係合刃ローラガイド部材２３０の下降に伴って係合刃ローラ２３２が下降する。この結果、係合刃ローラ２３２の昇降方向の変位に伴って第１の係合刃２１６が開閉方向に変位し、係合刃ローラガイド部材２３０に加わった荷重が吸収される。そして第１の係合刃２１６と第２の係合刃２１８との間隔が拡げられて第１の係合刃２１６に加わった荷重が解消される。
【００４０】
前述したように、乗りかごドアが開いたときの第１の係合刃２１６と第２の係合刃２１８の間隙Ａ１は、例えば、第１のローラ４１４および第２のローラ４１８の直径に略等しくなるように設計され、この値以下にはならないように設計される。しかし、エレベータの組み立て作業の際、この間隙Ａ１が第１のローラ４１４または第２のローラ４１８の直径よりも小さくなるように、誤って組み立てられることもあり得る。このような場合、リンク部材の連結部２１２ａ、２１２ｂ、２１４ａ、２１４ｂに用いられる軸受け等に過大なモーメントが作用することによって、係合装置が正常に動作せず、ドアの開閉動作に支障をきたす。このような事態の発生を、少なくとも低減させるため、荷重緩衝機構２３４には昇降路方向に伸縮する弾性体が設けられており、係合刃ローラガイド部材２３０（図示せず）の昇降方向の変位によって、第１の係合刃２１６の側板部２１７の面２１６ａと、第２の係合刃２１８の側板部２１９の面２１８ａとの間隙が、過度に小さくならないようにしている。
【００４１】
図８に、係合刃ローラ２３２の昇降方向の変位量と係合刃２１６、２１８の間隙の関係の一例を定性的に示す。乗りかごドアが完全に閉まった状態において係合刃２１６、２１８の間隙の値はＡ０であるが、乗りかごドアが開き始めると、係合刃２１６、２１８の間隙の値は直線的に小さくなり、通常は、係合刃２１６、２１８の間隙の値は最終的には直線７０２に示すようにＡ１まで小さくなる。しかし係合装置が誤って組み立てられている場合には、係合刃ローラ２３２の昇降方向の変位量がＰ２になると係合刃２１６、２１８の間隙が小さくなることを阻害する力が係合刃２１６、２１８に加わり、この力は係合刃ローラ２３２から係合刃ローラガイド部材２３０を介して荷重緩衝機構２３４に伝わる。
【００４２】
このような力が荷重緩衝機構２３４に加えられると、荷重緩衝機構２３４に備えられている弾性体が更に昇降方向に圧縮される。この結果、図中の７０４で示すように、係合刃ローラ２３２を介して係合刃ローラガイド部材２３０に加わる力が荷重緩衝機構２３４にて吸収され、係合刃ローラガイド部材２３０が昇降方向に変位して係合刃２１６、２１８の間隙を変化させない状態になり、係合刃２１６、２１８の間隙の値は、概ねＡ２に留まる。換言すると、係合刃２１６、２１８の間隙が小さくなりつつある際に、係合刃２１６、２１８に過大な力が作用すると、この力による係合刃２１６、２１８の間隙の値への影響を、荷重緩衝機構２３４の弾性体が吸収する。
【００４３】
前述したようにコイルばね２３４ｂは、乗りかごドアパネルが完全に閉じた状態において、自然長よりも昇降方向に所定量だけ圧縮されている。係合刃ローラ２３２の昇降方向の位置は係合刃ローラガイド部材２３０によって規定される。乗りかごドアパネルが完全に閉じた状態においては、係合装置は係合していないため、係合刃ローラガイド部材２３０の重量に基づく圧縮力以外の力はコイルばね２３４ｂに加わらない。このような圧縮力に応じた長さだけコイルばね２３４ｂを自然長よりも昇降方向に圧縮しておく。コイルばね２３４ｂを昇降方向に所定量だけ圧縮するためには、上部パネル２２０に対するボルト２３４ａの取り付け深さを適切に設定することによって行うことができる。このようにコイルばね２３４ｂを昇降方向に所定量だけ圧縮しておけば、係合装置が適切に組み立てられている場合には、乗りかごドアパネルが開閉する際にコイルばね２３４ｂに付加的な力が加わらないため、コイルばね２３４ｂを昇降方向の長さは変化せず、係合刃ローラ２３２の昇降方向の変位が、そのまま係合刃に伝達される。
【００４４】
次に、図９および図１を参照しながら、乗場ドアパネル３０２および３０４をそれぞれ含む乗場ドアの開閉動作を説明する。尚、図９においても乗りかごドアについては、第１の係合刃２１６および第２の係合刃２１８等を含む乗りかごドア側係合部１１０以外は省略している。図１に示すように、乗りかごドアパネル１０２および１０４をそれぞれ含む乗りかごドアは、乗りかごに設けられた乗りかごドアモータ１０８の動力によって、連動して開閉する。係合刃２１６および係合刃２１８を含む乗りかごドア側係合部１１０は乗りかごドアパネル１０２に取り付けられているため、乗りかごドアパネル１０２を含む乗りかごドアは、係合刃２１６および係合刃２１８とともに開閉方向に移動する。
【００４５】
次に、図９（ａ）は乗場ドアパネル３０２に固定されたロック機構３０６を構成する掛止部材４０２と被掛止部材４０６とのロック状態が解除されているが、乗場ドアパネル３０２および３０４をそれぞれ含む乗場ドアは未だ閉じている状態を示す。乗場側には乗場ドアを開閉させる動力源は備えられていないため、何らかの外力が加わらないと乗場ドアは閉じたままの状態を保つ。
【００４６】
乗りかごに設けられた乗りかごドアモータ１０８の動力によって乗りかごドアが開く方向、すなわち戸袋側の方向に移動するとき、乗りかごドアパネル１０２に取り付けられている係合刃２１６および２１８も乗りかごドアパネル１０２とともに乗りかごドアパネル１０２を含む乗りかごドアの開方向に移動する。第１の係合刃２１６および第２の係合刃２１８は、乗場ドア３０２に取り付けられている第１のローラ４１４および第２のローラ４１８に係合しているため、第１のローラ４１４および第２のローラ４１８、およびこれらのローラが取り付けられている乗場ドア３０２は、乗りかごドアパネル１０２を含む乗りかごドアとともに乗場ドア３０２の開方向に移動する。
【００４７】
乗場ドア３０４は、乗場ドア３０２に連動して開閉するため、乗場ドア３０４の開方向に移動する。このような動作によって乗場ドア３０２、３０４が開いた状態を図９（ｂ）に示す。以上の説明から明らかなように、本実施形態においては、乗りかごドアパネル１０２の戸当たり側に取り付けられている第２の係合刃２１８が乗場ドア３０２に取り付けられている第１のローラ４１４および第２のローラ４１８を戸袋側に押すことによって、乗場ドアが開く。すなわち、第２の係合刃２１８は、乗場ドアを開く方向に移動させるドア開放用係合刃の機能を有する。
【００４８】
乗場ドアを開いた状態から閉じた状態にするときには、乗場ドアに取り付けられている第１のローラ４１４および第２のローラ４１８を、乗りかごドアに取り付けられている第１の係合刃２１６によって、ドアの閉方向、すなわち戸当たり側に押すことによって行う。
【００４９】
すなわち、第１のローラ４１４および第２のローラ４１８は、ロック機構３０６を構成する要素であるとともに、それぞれ、係合装置の乗場ドア側係合部において第１の係合子および第２の係合子として機能する構成要素であるでもある。
【００５０】
以上述べた実施形態によれば、簡潔な構成で、係合装置が適切に組み立てられていない場合においてもドアに用いられる部材に損傷を与えることなく、円滑なドア開閉動作を可能とするエレベータのドア装置が提供される。
【００５１】
本発明は上記の実施形態そのままに限定されるものではなく、実施段階ではその要旨を逸脱しない範囲で開示した構成要素を変形して具体化できる。また、上記の実施形態に開示されている複数の構成要素の適宜な組み合わせにより、種々の発明を形成できる。
【００５２】
図１０および図１１は、上記の実施形態に示した乗場ドアロック機構に対する変形例を示す図である。なお、これらの図においては、図１および図２に示した構成と同一の構成部分には同一の符号を付し、詳細な説明は割愛する。
【００５３】
図１０に示す乗場ドアパネル３０２および３０４は、乗りかごが乗場階に着床したときには、それぞれ、図１に示した乗りかごドアパネル１０２および１０４に対向する。乗場ドアパネル３０２および３０４は、それぞれ図１に示した乗りかごドアパネル１０２および１０４に連動して開閉する。乗りかごドアパネル１０２には、前述したように、乗りかごドア側係合部１１０が設けられている。
【００５４】
乗りかごドアパネル１０２に対向する乗場ドアパネル３０２には、昇降路側に突出するように乗場ドア側係合部である係合子９０２が設けられている。た乗りかごが着床階に到着し所定の位置に停止すると、乗場ドアパネル３０２に設けられた係合子９０２と、乗りかごドアパネル１０２に設けられた乗りかごドア側係合部１１０が係合し、乗場ドアは乗りかごドアによって開閉する。図１０には、乗場ドアパネル３０４を乗場ドアパネル３０２に連動して開閉させる部材等が取り付けられ、乗場のドアの上方に設けられた乗場ドアの上部パネル３０８も示している。
【００５５】
図１１は、図１０に示した乗場ドア３０２の乗場ドア側係合部である係合子９０２部分の拡大図を示す。図１１（ａ）は、乗場ドア３０２を昇降路側から見た図である。図１１（ｂ）は、係合子９０２が乗りかごドア側係合部１１０に係合している状態において乗場ドア３０２を上方から見た図である。乗場ドアパネル３０２の昇降路側には、係合子９０２が昇降路側に突出するように設けられている。
【００５６】
係合子９０２は、係合子取り付け軸１００４の一端側に取り付けられている。また係合子取り付け軸１００４の他端は、ベースプレート１００６に固定され、ベースプレート１００６は、例えば、取付けネジによって乗場ドアの上方に設けられた乗場ドアの上部パネル３０８または乗場ドアパネル３０２に固定される。なお、係合子取り付け軸１００４の他端は、直接乗場ドアの上部パネル３０８または乗場ドアパネル３０２に固定される。さらに、係合子９０２は、直接乗場ドアの上部パネル３０８または乗場ドアパネル３０２に固定されてもよい。また、係合子９０２は、ローラである必要はなく、乗りかごに設けられた係合刃２１６、２１８との係合に適合する任意の形状とすることができる。したがって、係合子９０２の外形を、例えば、四角柱状にすることもできる。そして係合子９０２の材質は、乗りかごに設けられた係合刃２１６、２１８との係合に適合する任意の材質とすることができる。係合子９０２のドア開閉方向（図における横方向）の寸法は、乗りかごドア側係合部１１０に備えられた第１の係合刃２１６と第２の係合刃２１８との間隙に適合する値とする。すなわち、係合子９０２のドア開閉方向（図における横方向）の寸法は、乗りかごが走行中における第１の係合刃２１６と第２の係合刃２１８との間隙より小さく、乗りかごが階床に着床し停止して乗りかごドアが開き始めたときに第１の係合刃２１６および第２の係合刃２１８の少なくとも一方に接触する値に設定する。また、係合子９０２のドア開閉方向における位置は、乗りかごドア側係合部１１０に備えられた第１の係合刃２１６と第２の係合刃２１８との間隙に係合子９０２が入り得るようにするため、第１の係合刃２１６と第２の係合刃２１８の中間に相当する位置とする。
【００５７】
乗りかごが乗場のある階床に着床し、所定の位置で停止し、乗りかごドア１０２が開方向（図１１（ｂ）における右方向）に移動するときには、乗りかごに設けられた係合刃２１６、２１８は乗りかごドア１０２とともに開方向に移動する。通常、係合刃２１６、２１８と係合子９０２は係合しており、係合子９０２は乗りかごドア１０２に連動して開方向に移動する。係合子９０２は乗場ドア３０２に取り付けられているため、乗場ドア３０２も乗りかごドア１０２に連動して開方向に移動する。
【００５８】
ドアが開くとき係合子９０２を開方向に押すのは第２の係合刃２１８である。乗りかごドア１０２が閉方向（図１１（ｂ）における左方向）に移動するときには、第１の係合刃２１６が係合子９０２を閉方向に押すことによって、乗場ドア３０２が乗りかごドア１０２に連動して閉方向に移動する。前述したように、乗りかごドア１０４は乗りかごドア１０２に連動して開閉し、乗場ドア１０２は乗場ドア３０２に連動して開閉する。尚、係合子９０２を複数設けてもよいが、その場合には、係合子９０２のドア開閉方向の側面が昇降方向で一致するようにする。
【００５９】
以上述べた実施形態によっても、簡潔な構成で、係合装置が適切に組み立てられていない場合においてもドアに用いられる部材に損傷を与えることなく、円滑なドア開閉動作を可能とするエレベータのドア装置が提供される。
【００６０】
また、図２（ａ）に示した実施形態においては、係合刃ローラ２３２を第１の係合刃２１６の戸袋側に固定しているが、第２の係合刃２１８の戸当たり側に固定した形態も実施可能である。この場合には、リンク部材２０２、２０４を図２（ａ）に示したように左上がりに配設せずに、右上がりに配設する。また、図２（ａ）に示した実施形態においては、係合刃ローラ２３２の下側に係合刃ローラガイド部材２３０を配設しているが、係合刃ローラガイド部材２３０の上側に係合刃ローラ２３２を配設した形態も実施可能である。この場合にも、リンク部材２０２、２０４を右上がりに配設する。
【００６１】
さらに、図２（ａ）に示した実施形態においては、係合刃ローラガイド部材２３０の端部２３０ａは下向きに曲げられているが、端部２３０ａを上向きに曲げた形態も実施可能である。この場合には、リンク部材２０２、２０４を図２（ａ）に示したように左上がりに配設せずに、右上がりに配設する。また、図２（ａ）に示した実施形態においては、係合刃ローラ２３２が係合刃ローラガイド部材２３０の上を接触しつつ転動するが、前述したように係合刃ローラ２３２が係合刃ローラガイド部材２３０の下を接触しつつ転動する形態も実施可能である。第１の係合刃２１６と第２の係合刃２１８の乗りかごドアパネル１０２の開閉方向の間隔が変化する作用は、後ほど述べる、乗場ドアのインターロックの動作に関連付けることができる。
【符号の説明】
【００６２】
１０２、１０４…乗りかごドアパネル、
１０６…乗りかごドアベルト、
１０８…乗りかごドアモータ、
１１０…乗りかごドア側係合部、
２０２、２０４…リンク部材、
２０６…プレート、
２０８、２１０…リンク部取り付け部材、
２１２ａ、２１２ｂ、２１４ａ、２１４ｂ…リンク部材の連結部、
２１６…第１の係合刃、
２１７…第１の係合刃の側板部、
２１８、２１８’…第２の係合刃、
２１９、２１９’…第２の係合刃の側板部、
２２０…乗りかごドアの上部パネル、
２２２…ハンガーレール、
２２４ａ、２２４ｂ…乗りかごドア吊り部材、
２２６ａ、２２６ｂ…乗りかごドアローラ、
２２８…連係部材、
２３０…係合刃ローラガイド部材、
２３０ａ、２３０ｂ…係合刃ローラガイド部材の端部、
２３２…係合刃ローラ、
２３４…荷重緩衝機構、
３０２、３０４…乗場ドアパネル、
３０６…ロック機構
３０８…乗場ドアの上部パネル、
４０２…掛止部材（第１のインターロック部材）、
４０４…掛止部材の掛止部、
４０６…被掛止部材（第２のインターロック部材）、
４０８、４１６…ローラ取付け軸、
４１０…ベースプレート、
４１２ａ、４１２ｂ…ベースプレート取付けネジ、
４１４、４１４’、４１８、４１８’…ローラ、
９０２…係合子。
【図１】
0005611997.tif 000002
【図２】
0005611997.tif 000003
【図３】
0005611997.tif 000004
【図４】
0005611997.tif 000005
【図５】
0005611997.tif 000006
【図６】
0005611997.tif 000007
【図７】
0005611997.tif 000008
【図８】
0005611997.tif 000009
【図９】
0005611997.tif 000010
【図１０】
0005611997.tif 000011
【図１１】
0005611997.tif 000012